(57)【要約】【課題】  スポーツ観戦やコンサート等の観客が、興奮の度合いや楽しさを増大でき、また、一体感を増加させられるように工夫されたシャツを提供することを目的とする。【解決手段】  前側布地部１に、下窓部２と上窓部３を形成する。下窓部２にはメッシュ材７を張設する。かつ、下窓部２・上窓部３は、前側布地部１を捲くり上げてその表面10を顔面４に当接させるとき夫々顔面４の目５・顎６に位置するように、配設される。または、前側布地部１の裏面には、下窓部２・上窓部３を夫々目・顎の位置とする人物・漫画・キャラクターの顔のイラストが、描かれる。【選択図】  図２
0003112031.tif 000002
【実用新案登録請求の範囲】
【請求項１】
前側布地部（１）に、下窓部（２）と上窓部（３）を形成すると共に、該下窓部（２）にはメッシュ材（７）を張設し、かつ、該下窓部（２）・上窓部（３）は、上記前側布地部（１）を捲くり上げてその表面（10）を顔面（４）に当接させるとき夫々該顔面（４）の目（５）・顎（６）に位置するように、配設されたことを特徴とするシャツ。
【請求項２】
前側布地部（１）に、下窓部（２）と上窓部（３）を形成すると共に、該下窓部（２）にはメッシュ材（７）を張設し、かつ、該下窓部（２）・上窓部（３）は、上記前側布地部（１）を捲くり上げてその表面（10）を顔面（４）に当接させるとき夫々該顔面（４）の目（５）・顎（６）に位置するように、配設され、
さらに、上記前側布地部（１）の裏面（11）には、上記下窓部（２）・上窓部（３）を夫々目・顎の位置とする人物・漫画・キャラクターの顔のイラスト（20）が、描かれることを特徴とするシャツ。
【考案の詳細な説明】
【技術分野】
【０００１】
本考案は、Ｔシャツ、タンクトップ等のシャツに関するものである。
【背景技術】
【０００２】
シャツは、前側布地部や後側布地部の表面に図柄や文字等のデザインが描かれたものや、あるいは、無地のものがある。
【考案の開示】
【考案が解決しようとする課題】
【０００３】
スポーツ観戦の観客席やコンサート会場等に集まる観客は、例えば、お揃いのデザインがプリントされたシャツを着ることによって、一体感を得たり、応援を楽しむ。シャツに、その表面のプリント以外に、大勢が一斉に行える別の工夫があれば、観客は一層興奮してボルテージを上げることができ、一体感を増加させることができる。
そこで、本考案は、スポーツ観戦やコンサート等の観客が、興奮の度合いや楽しさを増大でき、また、一体感を増加させられるように工夫されたシャツを提供することを目的とする。
【課題を解決するための手段】
【０００４】
上記の目的を達成するために、本考案に係るシャツは、前側布地部に、下窓部と上窓部を形成すると共に、該下窓部にはメッシュ材を張設し、かつ、該下窓部・上窓部は、上記前側布地部を捲くり上げてその表面を顔面に当接させるとき夫々該顔面の目・顎に位置するように、配設されたものである。
【０００５】
また、本考案に係るシャツは、前側布地部に、下窓部と上窓部を形成すると共に、該下窓部にはメッシュ材を張設し、かつ、該下窓部・上窓部は、上記前側布地部を捲くり上げてその表面を顔面に当接させるとき夫々該顔面の目・顎に位置するように、配設され、さらに、上記前側布地部の裏面には、上記下窓部・上窓部を夫々目・顎の位置とする人物・漫画・キャラクターの顔のイラストが、描かれる。
【考案の効果】
【０００６】
本考案は、次のような著大な効果を奏する。
本考案に係るシャツは、前側布地部に、下窓部と上窓部を形成すると共に、下窓部・上窓部は、前側布地部を捲くり上げてその表面を顔面に当接させるとき夫々顔面の目・顎に位置するように、配設されるので、前側布地部を捲くり上げて顔面を覆っても、下窓部を通して前方を見ることができ、また、上窓部を通して会話をすることができるので、例えば、スポーツやコンサートの観客が大勢でこのシャツを着て、興奮してボルテージが上がった時や、あるいは、観客の間で決めた合図にて、前側布地部を捲くり上げて頭部を覆えば、大勢で一体感を得られ、観戦の楽しみを増加させられる。
さらに、例えば、スポーツ観戦に於て、応援するチームのイメージキャラクターの顔のイラストを前側布地部の裏面に描いておくことにより、前側布地部を捲くり上げて顔面を覆うことで、そのイラストを廻りの他の観客等に大々的なアピールが出来て、一層多くの一体感・満足感を得られる。
あるいは、本考案のシャツをサッカー選手等のアスリートが着れば、試合中にゴールが決まった場合等に、興奮してシャツの前側布地部を捲くり上げて頭部からスッポリと覆ったままグラウンドを走り回っても、下窓部を通して、前方を見ることができるので、つまずきによる転倒や、他の選手等との衝突を防ぐことができる。
また、下窓部にメッシュ材が張設されるので、目にゴミが入るのが防がれる。
【考案を実施するための最良の形態】
【０００７】
以下、実施の形態を示す図面に基づき、本考案を詳説する。
図１〜図４は本考案に係るシャツの実施の一形態を示す。このシャツは、例えば、Ｔシャツ、タンクトップや長袖シャツ等であり、前側布地部１の中央付近に、下窓部２と上窓部３が、上下離間して形成される。下窓部２は、（着る人の顔面４の）左右の目５，５に夫々対応する一対の左右窓部12，12から成る。各窓部12は、例えば、略平行四辺形や楕円状等に形成されると共に、目５を埃等から保護するメッシュ材７が張設される。８は、メッシュ材７の周囲に沿って付設されてメッシュ材７を窓部12に張る縁枠材である。メッシュ材７は、例えば樹脂材を網状として形成したものであり、縁枠材８はビニール材・布材等から成る。また、左右窓部12，12は、左右対称となるように形成される。また、図示省略するが、下窓部２は、左右の目５，５に対応するように一続きの横長状として、形成されてもよい。そして、上記縁枠材８を表面へ僅かに突出状として柔らかい材質をもって布地部１に縫製又は接着等で付設することで、後述の図４や図５に示す使用状態にて、女性の目のまわりの化粧やまつ毛を保護できる。
また、上窓部３は、弯曲の周状に形成されたり、略楕円形状に形成される。
そして、下窓部２・上窓部３は、前側布地部１を捲くり上げてその表面10を顔面４に当接させるとき夫々顔面４の目５・顎６に位置するように、配設される（図４参照）。顎６は、顔面４のうち、鼻下から下顎部６ａにかけての部位を指す。
また、図５に示すように、前側布地部１の裏面11に、下窓部２・上窓部３を夫々目・顎の位置とする人物・漫画・キャラクターの顔のイラスト20を、描いてもよい。
【０００８】
次に、本考案のシャツの使用方法について説明する。
例えば、スポーツやコンサートの観客が、図２に示したように、本考案のシャツを着て、シャツの上には他の衣服を着ないようにして観戦等を行う。
そして、観戦等の途中で興奮してボルテージが上がった時や、あるいは、観客の間で決めた合図にて、図３に示したように、各観客が、前側布地部１の裾部13を、矢印９のように上方へ捲くり上げ、前側布地部１の表面10を顔面４に当接させつつ、裾部13が頭部を覆うように引っ張り上げる。
そして、図４に示したように、前側布地部１の裾部13を頭部に覆って、ずり落ちないように引っ掛ける。このとき、下窓部２の左右窓部12，12を顔面４の左右の目５，５に対応させ、メッシュ材７，７を通して前方を見えるようにする。かつ、上窓部３を下に拡げて、その下辺を下顎部６ａに引っ掛けると共に、口を、上窓部３を通して前方へ露出させる。この動作を、例えば、大勢の観客が一斉に行う。
【０００９】
また、図示省略するが、例えば、スポーツ観戦に際し、応援するチームのイメージキャラクターの顔のイラストを、前側布地部１の裏面11に描いておけば、観戦中に大勢で一斉にシャツの前側布地部１を図４の状態に捲くり上げることで、そのイラストを廻りの他の観客等に大々的なアピールが出来ると共に、多くの一体感・満足感を得られる。
【００１０】
なお、本考案のシャツをサッカー選手等のアスリートが着てもよい。例えば、サッカー選手は、ゴールを決めた直後に興奮して、図４のようにシャツの前側布地部１を捲くり上げて頭部からスッポリと覆ったままフィールドを走り回ることがある。そのとき、このアスリートは、下窓部２（メッシュ材７，７）を通して、前方を見ることができるので、つまずきによる転倒や、他の選手やゴールポスト等との衝突を、防ぐことができる。
【００１１】
以上のように、本考案に係るシャツは、前側布地部１に、下窓部２と上窓部３を形成すると共に、下窓部２にはメッシュ材７を張設し、かつ、下窓部２・上窓部３は、前側布地部１を捲くり上げてその表面10を顔面４に当接させるとき夫々顔面４の目５・顎６に位置するように、配設されているので、前側布地部１を捲くり上げて顔面４を覆っても、下窓部２を通して前方を見ることができ、また、上窓部３を通して会話をすることができるので、例えば、スポーツやコンサートの観客が大勢でこのシャツを着て、興奮してボルテージが上がった時や、あるいは、観客の間で決めた合図にて、前側布地部１を捲くり上げて頭部を覆えば、大勢で一体感を得られ、観戦の楽しみを増加させられる。
あるいは、本考案のシャツをサッカー選手等のアスリートが着れば、試合中にゴールが決まった場合等に、興奮してシャツの前側布地部１を捲くり上げて頭部からスッポリと覆ったままグラウンドを走り回っても、下窓部２を通して、前方を見ることができるので、つまずきによる転倒や、他の選手等との衝突を防ぐことができる。
また、下窓部２にメッシュ材７が張設されるので、目５にゴミが入るのが防がれる。
【００１２】
また、本考案に係るシャツは、前側布地部１に、下窓部２と上窓部３を形成すると共に、下窓部２にはメッシュ材７を張設し、かつ、下窓部２・上窓部３は、前側布地部１を捲くり上げてその表面10を顔面４に当接させるとき夫々顔面４の目５・顎６に位置するように、配設され、さらに、前側布地部１の裏面11には、下窓部２・上窓部３を夫々目・顎の位置とする人物・漫画・キャラクターの顔のイラスト20が、描かれるものなので、前側布地部１を捲くり上げて顔面４を覆っても、下窓部２を通して前方を見ることができ、また、上窓部３を通して会話をすることができるので、例えば、スポーツやコンサートの観客が大勢でこのシャツを着て、興奮してボルテージが上がった時や、あるいは、観客の間で決めた合図にて、前側布地部１を捲くり上げて頭部を覆えば、大勢で一体感を得られ、観戦の楽しみを増加させられる。
さらに、例えば、スポーツ観戦に於て、応援するチームのイメージキャラクターの顔のイラスト20を前側布地部１の裏面11に描いておけば、前側布地部１を捲くり上げて顔面４を覆うことで、そのイラスト20を廻りの他の観客等に大々的なアピールが出来て、一層多くの一体感・満足感を得られる。
あるいは、本考案のシャツをサッカー選手等のアスリートが着れば、試合中にゴールが決まった場合等に、興奮してシャツの前側布地部１を捲くり上げて頭部からスッポリと覆ったままグラウンドを走り回っても、下窓部２を通して、前方を見ることができるので、つまずきによる転倒や、他の選手等との衝突を防ぐことができる。
また、下窓部２にメッシュ材７が張設されるので、目５にゴミが入るのが防がれる。
【図面の簡単な説明】
【００１３】
【図１】本考案に係るシャツの実施の一形態を示す正面図である。
【図２】説明用正面図である。
【図３】説明用正面図である。
【図４】説明用正面図である。
【図５】本考案に係るシャツの他の実施の形態を示す説明用正面図である。
【符号の説明】
【００１４】
１  前側布地部
２  下窓部
３  上窓部
４  顔面
５  目
６  顎
７  メッシュ材
10  表面
11  裏面
20  イラスト
【図１】
0003112031.tif 000003
【図２】
0003112031.tif 000004
【図３】
0003112031.tif 000005
【図４】
0003112031.tif 000006
【図５】
0003112031.tif 000007